(57)【特許請求の範囲】
【請求項１】
放音部と、ヘッドバンドと、を備え、
前記放音部は、スピーカユニットと、内部空間と、当該内部空間を２以上の空間に仕切る仕切り部材と、を有し、
前記スピーカユニットは、前記ヘッドバンドに対して前記放音部の音放射側にあり、
前記２以上の空間は、外部と連通する第１の空間と、当該第１の空間と連通するとともに前記スピーカユニットがある第２の空間と、を有し、
前記第１の空間は、前記スピーカユニットに対して前記ヘッドバンド側にあり、前記仕切り部材は、前記ヘッドバンドを通す通路を有することを特徴とするヘッドホン。
【請求項２】
前記通路に対して前記放音部の音放射側に前記スピーカユニットがあることを特徴とする請求項１に記載のヘッドホン。
【請求項３】
前記放音部は、前記仕切り部材を収容するハウジングを備え、
前記ハウジングには対向する２つの開口が設けられ、
前記通路は前記開口を介して外部と連通することを特徴とする請求項１に記載のヘッドホン。
【請求項４】
前記仕切り部材は、前記通路を形成する通路形成部を備え、
前記ハウジングに取り付けられる前記通路形成部の外側面は、当該ハウジングに対して凹状の面を有し、
前記ハウジングと前記凹状の面との間に前記第１の空間が形成されることを特徴とする請求項３に記載のヘッドホン。
【請求項５】
前記通路形成部には、前記第１の空間を外部と連通させる第１の孔部があることを特徴とする請求項４に記載のヘッドホン。
【請求項６】
前記仕切り部材は、前記凹状の面と前記ハウジングの間に壁部を有し、
前記凹状の面と前記壁部と前記ハウジングとの間に前記第１の空間が形成され、
前記壁部には、前記第１の空間を前記第２の空間に連通させる第２の孔部があることを特徴とする請求項４又は５に記載のヘッドホン。
【発明の詳細な説明】
【技術分野】
【０００１】
本発明は、ヘッドホンに関するものである。
【背景技術】
【０００２】
従来、スピーカユニット及びハウジングを有する放音部の内部空間を、ハウジングに設けた孔部により外部空間に連通させ、低音域の音圧を大きくするようなヘッドホンが提案されている。
【０００３】
例えば、特許文献１に記載されたヘッドホンは、スピーカユニットを収容したハウジングの一部に音質調整用穴を設け、ハウジングの外側に音質調整用穴を覆うように貫通孔が設けられた操作ツマミを取り付けている。操作ツマミとハウジングとの間に空間が形成される。しかしながら、従来のヘッドホンでは、ハウジングの外側に操作ツマミにより形成された空間により、ヘッドホンの大型化を招いている、という問題が一例として挙げられる。
【先行技術文献】
【特許文献】
【０００４】
【特許文献１】実用新案登録第３１０７７１８号公報
【発明の概要】
【発明が解決しようとする課題】
【０００５】
そこで、本発明は、例えば、小型化を図ったヘッドホンを提供することを課題の一例とする。
【課題を解決するための手段】
【０００６】
課題を解決するために、請求項１に記載されたヘッドホンは、放音部と、ヘッドバンドと、を備え、前記放音部は、スピーカユニットと、内部空間と、当該内部空間を２以上の空間に仕切る仕切り部材と、を有し、前記スピーカユニットは、前記ヘッドバンドに対して前記放音部の音放射側にあり、前記２以上の空間は、外部と連通する第１の空間と、当該第１の空間と連通するとともに前記スピーカユニットがある第２の空間と、を有し、前
記第１の空間は、前記スピーカユニットに対して前記ヘッドバンド側にあり、前記仕切り部材は、前記ヘッドバンドを通す通路を有する。
【図面の簡単な説明】
【０００７】
【図１】本発明のヘッドホンの一実施例を示す分解斜視図である。
【図２】図１に示すヘッドホンの放音部にスライダを挿入した状態での断面図である。
【図３】図１に示すヘッドバンドの分解斜視図である。
【図４】図３に示すスライダの拡大斜視図である。
【図５】図１に示すハウジング本体の斜視図である。
【図６】図１に示す筒状部及び仕切り部材の斜視図である。
【図７】図１に示すスライダ係止部の分解斜視図である。
【図８】図７に示すストッパとスライダとの係止を説明するための説明図である。
【図９】図１に示すハウジング本体、筒状部及び仕切部材の分解斜視図である。
【発明を実施するための形態】
【０００８】
以下、本発明の一実施形態にかかるヘッドホンを説明する。本実施形態のヘッドホンは、放音部と、ヘッドバンドと、を備え、放音部は、スピーカユニットと、内部空間と、当該内部空間を２以上の空間に仕切る仕切り部材と、を有し、スピーカユニットは、ヘッドバンドに対して放音部の音放射側にあり、２以上の空間は、外部と連通する第１の空間及び該第１の空間と連通するとともにスピーカユニットがある第２の空間を有し、第１の空間は、スピーカユニットに対してヘッドバンド側にある。
【０００９】
これにより、仕切り部材が、放音部の内部空間を２以上の空間に仕切って、スピーカユニットに対してヘッドバンド側にある、空いた空間を第１の空間として利用するため、放音部を大型化することなく、遮音性の向上及び低音の拡大ができる。
【００１０】
また、仕切り部材は、ヘッドバンドを通す通路を有していてもよい。これにより、部品点数が少なくなり、組み立てやすくなる。また、通路に対して放音部の音放射側にスピーカユニットがあってもよい。スピーカユニットがある第２の空間を広く確保でき、低域の音響特性を向上できる。
【００１１】
また、放音部は、仕切り部材を収容するハウジングを備える。このハウジングには対向する２つの開口が設けられ、通路は開口を介して外部と連通していてもよい。
【００１２】
また、仕切り部材は通路を形成する通路形成部を有する。この通路形成部は筒状に形成されてもよい。また、仕切り部材の通路形成部が一体に形成されていてもよい。これにより、部品点数が少なくなり、組み立てやすくなる。
【００１３】
また、この通路形成部のうち、ハウジングに取り付けられる外側面はハウジングに対して凹状の面を有する。ハウジングと凹状の面と間に第１の空間が形成されていてもよい。これにより、凹状の面とハウジングとの間にできる空間を利用して、第１の空間を形成することができる。
【００１４】
また、通路形成部には、第１の空間を外部と連通させる第１の孔部があってもよい。これにより、通路形成部に設けた第１の孔部により第１の空間と外部とを連通させることができる。
【００１５】
また、仕切り部材は、凹状の面とハウジングの間に壁部を有し、凹状の面と壁部とハウジングとの間に第１の空間が形成され、壁部には、第１の空間を第２の空間に連通させる第２の孔部があってもよい。これにより、壁部に設けた第２の孔部により第１の空間と第２の空間とを連通させることができる。
【実施例】
【００１６】
次に、上述したヘッドホンについて、図１〜図９に基づいて説明する。図１は、本発明のヘッドホンの一実施例を示す分解斜視図である。図２は、図１に示すヘッドホンの放音部にスライダを挿入した状態での断面図である。なお、図２からは、スピーカユニットの図示を省略している。図３は、図１に示すヘッドバンドの分解斜視図である。図４は、図３に示すスライダの拡大斜視図である。図５は、図１に示すハウジング本体の斜視図である。図６は、図１に示す筒状部及び仕切り部材の斜視図である。図７は、図１に示すスライダ係止部の分解斜視図である。図８は、図７に示す片とスライダとの係止を説明するための説明図である。図９は、図１に示すハウジング本体、筒状部及び仕切部材の分解斜視図である。
【００１７】
図１及び図２に示すように、ヘッドホン１は、ヘッドバンド２と、当該ヘッドバンド２により連結される２つの放音部３と、を備えている。
【００１８】
ヘッドバンド２は、図３及び図４に示すように、使用者の頭に装着されるヘッドバンド本体４と、ヘッドバンド本体４の両端部にそれぞれ保持される帯状又は細長く延在するスライダ５と、ヘッドバンド本体４にスライダ５を連結するため又は保持するための留め具６と、カバー７と、ネジ８と、ピン９と、を有している。放音部３はスライダ５に対して、このスライダ５の長手方向に沿って移動自在に取り付けられる。スライダ５は、幅方向において中央部に近づくに従って厚みが大きくなる断面ひし形に形成されている。このスライダ５には、幅方向に沿った溝５１が、長手方向に複数並べて形成されている。また、スライダ５の一端部には、略円形の孔５２（留め具６が挿入される保持孔５２）と、後述するピン９を挿入するための孔５３（ピン挿入孔５３）と、が設けられている。
【００１９】
ヘッドバンド本体４は、その両端部にスライダ５を挟む又は挟んで保持するための２つの挟み部４１が形成されている。２つの挟み部４１には各々、スライダ５の一端部を挟んだ状態で保持孔５２と連通する孔４１ａ（保持孔４１ａ）と、ピン挿入孔５３と連通する孔４１ｂ（ピン挿入孔４１ｂ）と、が形成されている。留め具６は、本体部６１と、本体部６１から突出し、２つの挟み部４１及びスライダ５に設けられた保持孔４１ａ、５２に挿入されるボス６２と、を有している。このボス６２には、ネジ孔（内面にネジ切りが形成された孔）が設けられている。カバー７は、ネジを通すための孔７１（通し孔７１）が設けられている。
【００２０】
次に、上述した構成のヘッドバンド本体４にスライダ５を取り付ける手順について説明する。まず、２つの挟み部４１間にスライダ５の一端部を挟んだ状態で、留め具６のボス６２を２つの挟み部４１及びスライダ５の保持孔４１ａ、５２に貫通させる。このとき留め具６の本体部６１は、２つの挟み部４１の一方に重ねられる。その後、カバー７を２つの挟み部４１の他方に重ね、カバー７の通し孔７１にネジ８を通してボス６２に設けたネジ孔に螺合させる。ことにより、スライダ５が挟み部４１間に保持又は連結される。
【００２１】
なお、ピン９を一対の挟み部４１及びスライダ５に設けたピン挿入孔４１ｂ、５３に通していない状態で上述したようにヘッドバンド本体４にスライダ５を取り付けると、スライダ５はヘッドバンド本体４に対して保持孔５２を中心に回転自在となる。即ち、スライダ５は、ヘッドバンド本体４の厚さ方向に沿った軸を回転軸として回転でき、このスライダ５に保持される放音部３をヘッドバンド本体４に対して変位できる。
【００２２】
一方、ピン９を一対の挟み部４１及びスライダ５に設けたピン挿入孔４１ｂ、５３に通した状態でヘッドバンド本体４にスライダ５を取り付けると、スライダ５はヘッドバンド本体４に対して回転できない。すなわち、スライダ５はヘッドバンド本体４に回転しない状態で保持又は連結される。
【００２３】
次に、放音部３の構成について説明する。図１及び図２に示すように、一対の放音部３はそれぞれ、音を放射する図示しないスピーカユニットと、スピーカユニットを収容するハウジング１０と、放音部３の内部空間を２以上の空間に仕切る仕切り部材１１と、スライダ５を移動自在に係止するスライダ係止部１２と、クッション１３と、を備えている。
【００２４】
スピーカユニットは、磁気回路、ボイスコイル、振動板などを有する周知のスピーカユニットである。
【００２５】
ハウジング１０は、スピーカユニットの音放射方向Ｙ１側が開口されたハウジング本体１４と、ハウジング本体１４の上部１４１（音放射側とは逆側にあるハウジング本体１４の一部）を覆う蓋部１５と、筒状部１６と、環状の突起部１７と、スピーカユニットが固定される固定部１８と、を備えている。
【００２６】
図２及び図５などに示すように、ハウジング本体１４は、略円形の上部１４１と、上部１４１の周縁から音放射方向Ｙ１に向かって立設した筒状の周壁部１４２と、を有し、音放射方向Ｙ１が開口された受皿状又はカップ状に形成されている。
【００２７】
上部１４１は、スピーカユニットの音放射方向Ｙ１と逆側に配置される。この上部１４１の外面には、後述する蓋部１５を嵌め込む凹部１４１ａが形成されている。上部１４１の内面には、後述する仕切り部材１１の上部１１１ａが配置される凹部１４１ｂが形成されている。また、上部１４１からは、後述する固定部１８を固定するための４本のボス１４１ｃと、後述するスライダ係止部１２の基部１９を固定するための２本のボス１４１ｄと、がそれぞれ音放射方向Ｙ１に向かって突設されている。ボス１４１ｃ及び１４１ｄには、図示しないネジを螺合するネジ孔（内面にねじ切りが形成された孔）が設けられている。
【００２８】
周壁部１４２は、音放射方向Ｙ１に向かう従って径が大きくなる第１周壁部１４２ａと、径が一定な第２周壁部１４２ｂと、から構成されている。第２周壁部１４２ｂの外側面の径は、第１周壁部１４２ａの外側面の最大径よりも少し小さく設けられている。これにより、第１周壁部１４２ａの音放射方向Ｙ１側の端部が、第２周壁部１４２ｂよりも外側に突出して設けられる。
【００２９】
また、周壁部１４２には、互いに対向する２つの開口１４２ｃが設けられている。２つの開口１４２ｃはそれぞれ、第１周壁部１４２ａ及び第２周壁部１４２ｂに亘って設けられている。また、第２周壁部１４２ｂの外側面には、開口１４２ｃの周縁に沿って突出するフード部１４２ｄが形成されている。
【００３０】
蓋部１５は、図１及び図２に示すように、略円板状に設けられ、外面が平坦に形成されている。この蓋部１５は、ハウジング本体１４の上部１４１に設けられた凹部１４１ａに嵌め込まれる。
【００３１】
筒状部１６は、本実施形態では、後述する仕切り部材１１と一体に形成されている。図２に示すように、筒状部１６は、ハウジング本体１４の第２周壁部１４２ｂの外周面（外面のうち、筒状に形成された部分）に設けられ、第２周壁部１４２ｂに嵌合する。また、筒状部１６は、図２及び図６に示すように、後述するスライダ５を通すための切欠１６ａと、電線やコネクタなどを通すための切欠１６ｂと、切欠１６ａ、１６ｂの縁部から立設するフード部１６ｃ、１６ｄと、を有している。
【００３２】
筒状部１６のフード部１６ｃにハウジング本体１４のフード部１４２ｄが嵌合するように、筒状部１６と第２周壁部１４２ｂとを嵌合させる。このフード部１６ｃとフード部１４２ｄとの嵌合により、筒状部１６が第２周壁部１４２ｂ周りに回転するのを防止できる。
【００３３】
突起部１７は、ＡＢＳ、ゴムなどから構成され、突起部１７の外面のうち外周面（筒状に形成された部分）に複数の突起１７ｃが設けられ、手で放音部３を持ったときに滑りにくくなっている。図示の例では、複数の線で仕切られた空白部分が突起１７ｃとなる。この突起１７ｃは、図２に示されるような、突起部１７の外面から外に向かって突起する形状となっている。複数の突起１７ｃの間は、溝１７ｄになっており、図２における複数の線が溝の位置を示している。複数の突起１７ｃは、突起部１７外周の全周に亘って形成されている。突起部１７は、図２に示すように、筒状部１６に嵌合し、ハウジング１０の外面のうち、筒状に形成された部分（以下、外周面と呼称する）を形成する。この突起１７ｃにより、突起部１７の外周面における摩擦力を、ハウジング１０の他の部分の外面（例えばハウジング本体１４の外面）における摩擦力よりも大きくできる。なお、ここで他の部分の外面とは、ハウジング１０の外面のうち突起部１７の外周面を除いた部分である。このため、ユーザが放音部３を掴んだときに放音部３がユーザの手に対して滑りにくくなる。また、放音部３がユーザの肩にあてがわれたときには、ユーザの衣服と摩擦力を積極的に生じさせて、放音部３がユーザの肩に対して滑りにくくなる。よって、ユーザの片耳と肩との間やユーザの手からの放音部３の脱落防止を図ることができる。
【００３４】
また、突起部１７は、図１に示すように、切欠１７ａ（＝嵌合部）を有している。突起部１７の切欠１７ａ内に筒状部１６のフード部１６ｃ、１６ｄ（＝嵌合部）が嵌合するように、突起部１７と筒状部１６とを嵌合させる。この切欠１６ａとフード部１６ｃ、１６ｄとの嵌合により、突起部１７が筒状部１６周りに回転するのを防止できる。
【００３５】
固定部１８は、中央部にスピーカユニットが取り付けられる開口が設けられた略円板状に設けられ、筒状部１６の音放射方向Ｙ１側の開口を覆うように取り付けられる。また、固定部１８には、上述したハウジング本体１４の上部１４１から立設したボス１４１ｃのネジ孔と連通する連通孔（図示せず）が設けられている。この図示しない連通孔にネジを通してボス１４１ｃのネジ孔にネジ（図示せず）を螺合することにより、ハウジング本体１４と固定部１８との間に上述した筒状部１６及び突起部１７を挟んだ状態で、固定部１８をハウジング本体１４に固定することができる。
【００３６】
上記仕切り部材１１は、後述するヘッドバンド２のスライダ５を通す通路を形成する通路形成部１１１と、壁部１１２（仕切り板１１２）と、が一体に形成されている。通路形成部は筒状に形成され、蓋部１５から見て矩形状（例えば四角形状）に、開口側から見て矩形状（例えば四角形状）に形成されている。壁部１１２は、通路形成部１１１の上部１１１ａからハウジング本体１４の上部１４１に向かって突出された形状を備える。通路形成部１１１の両端部がそれぞれ筒状部１６に設けた切欠１６ａの周縁に連結するように、仕切り部材１１と筒状部１６とが一体形成されている。よって、筒状部１６をハウジング本体１４の第２周壁部１４２ｂに嵌合させると、通路形成部１１１の両端部がそれぞれハウジング本体１４に設けられた一対の開口１４２ｃにそれぞれ連通される。開口１４２ｃに連通することにより、通路形成部１１１内は外部連通空間Ｃｏとなる。
【００３７】
通路形成部１１１は、スピーカユニットから離れた側（スピーカユニットに対してヘッドバンド２側）の上部１１１ａと、スピーカユニット側の底部１１１ｂと、上部１１１ａ及び底部１１１ｂ間に設けられた一対の側部１１１ｃと、を有している。上部１１１ａには、図９に示すように、後述するスライダ係止部１２のストッパ２０を通路形成部１１１内に挿入するための挿入孔１１１ｄと、挿入孔１１１ｄを囲むように立設され、スライダ係止部１２の基部１９が搭載される筒部１１１ｅと、が設けられている。挿入孔１１１ｄは、通路の中央にストッパ２０が挿入されるように設けられている。
【００３８】
また、上部１１１ａの外側面及び内側面には、通路の中央部に向かうに従ってスピーカユニットに近づく傾斜面となっており、上部１１１ａの内側面は蓋部１５（ハウジング１０）に対して凹状の面となっている。底部１１１ｂの外側面及び内側面は、通路の中央部に向かうに従ってスピーカユニットから離れていく傾斜面が設けられており、底部１１１ｂの内側面はスピーカユニットに対して凹状の面となっている。また、上部１１１ａは、通路の一方の端部から他方の端部に向かう方向（以下、通路方向と呼称する）において、底部１１１ｂよりも短く設けられていて、ハウジング本体１４の上部１４１中央に設けた凹部１４１ｂ上に配置される。
【００３９】
このように通路形成部１１１の上部１１１ａの外側面に傾斜面を設けることにより、図２に示すように、上部１１１ａの通路方向の両端部はハウジング本体１４の上部１４１に接し、中央部はハウジング本体１４の上部１１１ａから離れ、通路形成部１１１の上部１１１ａとハウジング本体１４の上部１４１（＝ハウジング１０の上部１１１ａの傾斜面と対向する部分）との間に空間ができる。また、通路形成部１１１の上部１１１ａ及び底部１１１ｂの内側面に上述したような傾斜面を設けることにより、図２に示すように、通路形成部１１１内は、通路の中央部が一番狭くなり、この狭い部分の上部１１１ａと底部１１１ｂとでスライダ５が挟まれる。また、通路形成部１１１の上部１１１ａ及び底部１１１ｂの内側面に上述したような傾斜面を設けることにより、通路の両端が広く設けられる。これにより、通路形成部１１１内にスライダ５を通しやすくなっている。また、スライダ５が通路形成部１１１内において、スライダ係止部１２を支点にして、スライダ５が上部１１１ａに近づいたり、或いは底部１１１ｂに近づくという変位が可能になっている。
【００４０】
２つの側部１１１ｃは、互いに平行に設けられ、後述するスライダ係止部１２の基部１９を固定するためのボス１１１ｆがそれぞれ設けられている。
【００４１】
仕切り板１１２は、断面が矩形状（例えば四角形状）である筒状に形成され、その音放射方向Ｙ１とは逆側の端面がハウジング本体１４の上部１４１に当接している。これにより、ハウジング本体１４の上部１４１、仕切り部材１１の上部１１１ａ及び仕切り板１１２に囲まれた空間が形成される。また、通路形成部１１１の上部１１１ａ及び仕切り板１１２には、第１の孔部１１１ｇ、第２の孔部１１２ａがそれぞれ設けられている。
【００４２】
即ち、仕切り部材１１は、放音部３の内部空間（即ちハウジング１０内の空間）を３つの空間に仕切っている。この３つの空間は、ハウジング本体１４の開口１４２ｃに連通する通路形成部１１１内の外部連通空間Ｃｏと、上述したハウジング本体１４の上部１４１、仕切り部材１１の上部１１１ａ及び仕切り板１１２に囲まれ、第１の孔部１１１ｇにより外部連通空間Ｃｏに連通している第１の空間Ｃ１と、ハウジング１０内の上記外部連通空間Ｃｏ及び第１の空間Ｃ１を除いた空間であってスピーカユニットがある第２の空間Ｃ２と、である。第１の空間Ｃ１と第２の空間Ｃ２とは、仕切り板１１２に設けた第２の孔部１１２ａによって互いに連通している。また、この仕切り部材１１により、第１の空間Ｃ１は、ヘッドバンド２側に位置し、第２の空間Ｃ２は、スピーカユニット側に位置する。
【００４３】
スライダ係止部１２は、図７に示すように、通路形成部１１１に固定される基部１９と、通路形成部１１１の挿入孔１１１ｄから通路内に侵入して、スライダ５の溝５１に嵌合するストッパ２０と、基部１９及びストッパ２０間に設けられ、ストッパ２０をスライダ５に向かって付勢するコイルバネなどから構成される付勢部２１と、を有している。
【００４４】
基部１９は、通路形成部１１１の筒部１１１ｅ上に搭載され、ボス１１１ｆにネジ止めされて固定される。ストッパ２０には、スライダ５の端部における平面に接触する平面２０ａと、スライダ５の溝５１に嵌合する平面２０ａよりもスライダ５側に突出する片２０ｂと、が設けられている。平面２０ａ及び片２０ｂは、スライダ５の長手方向に並べて形成されている。平面２０ａは、片２０ｂよりもヘッドバンド本体４から離れた側に設けられている。
【００４５】
この片２０ｂの頂部よりもヘッドバンド本体４から離れた側は、頂部から離れるに従って平面２０ａに対する傾斜角度が大きくなる（傾斜がきつくなる）湾曲面２０ｃに設けられている。片２０ｂの頂部よりもヘッドバンド本体４側にも、同様に頂部から離れるに従って傾斜がきつくなる湾曲面２０ｄが設けられているが、湾曲面２０ｄは頂部側の一部にしか設けられていない。頂部から離れた側には、平面２０ａと湾曲面２０ｄが交差する位置における平面２０ａに対する湾曲面２０ｄの傾斜角度よりも緩やかな平坦な傾斜面２０ｅに設けられている。
【００４６】
以上の構成により、片２０ｂがスライダ５の溝５１内に挿入されているので、放音部３の通路形成部１１１内に挿入した状態で保持できる。しかも、ストッパ２０は、付勢部２１によりスライダ５に対して接離する方向に移動自在に支持されている。これにより、放音部３の位置を調整したいときはスライダ５を引っ張れば、片２０ｂがスライダ５から離れる方向に移動し、溝５１と溝５１との間の山を乗り越えると、再びスライダ５に近づく方向に移動し、隣の溝５１に挿入される。これを繰り返すことで、スライダ５を長手方向に沿って移動させることができる。
【００４７】
また、上述したようにスライダ５は、幅方向が一番厚みのある断面ひし形に設けられ、片２０ｂは、溝５１の幅方向の中央部に接触している。このため、スライダ５は、幅方向の中央部を通り長手方向に沿った軸を回転軸として所定の角度だけ回転できるようになっている。
【００４８】
なお、図２などに示すように、スライダ５に設けた溝５１は、ヘッドバンド本体４から最も離れた側のものが一番深く設けられている。これにより、図８に示すように、深くない溝５１にストッパ２０の片２０ｂが挿入されている場合、片２０ｂは傾斜の緩い頂部付近しか溝５１に挿入されないためスライダ５を移動させやすい。これに対して、深い溝５１にストッパ２０の片２０ｂが挿入されている場合、溝５１と片２０ｂとの当接面積を大きくすることができる。しかも、傾斜のきつい頂部から離れた側の湾曲面２０ｃにも溝５１が当接するので、スライダ５を通路形成部１１１から抜く方向に多少ひっぱっても、通路形成部１１１からスライダ５が抜けにくくなっている。但し、大きな外力でスライダ５を通路形成部１１１から抜く方向に引っ張ると片２０ｂがスライダ５から離れた側に移動し、スライダ５を抜くことができる。
【００４９】
上述した実施例によれば、仕切り部材１１が、放音部３の内部空間を２以上の空間に仕切って、ヘッドバンド２側の空いている空間を第１の空間Ｃ１として利用することができ、放音部３を大型化することなく、遮音性の向上及び低音の拡大ができる。
【００５０】
また、上述した実施例によれば、仕切り部材１１は、ヘッドバンド２を通す通路を形成する通路形成部１１１が一体に形成されている。これにより、部品点数が少なくなり、組み立てやすくなる。
【００５１】
また、上述した実施例によれば、通路形成部１１１のスピーカユニットから離れた側（ハウジング１０側）の外側面には、通路の中央に向かうに従ってスピーカユニットに近づく傾斜面が設けられ、ハウジング１０の傾斜面と対向する部分と傾斜面と間に第１の空間Ｃ１が形成されている。また、通路形成部１１１が取り付けられるハウジング１０の一部と対向する通路形成部１１１の外側面が、ハウジング１０に対して凹状の面であり、この外側面と、外側面と対向するハウジング１０の一部との間に第１の空間Ｃ１が形成されている。これにより、凹状の面又は傾斜面とハウジング１０との間にできる空間を利用して、第１の空間Ｃ１を形成することができる。
【００５２】
また、通路形成部１１１には、第１の空間Ｃ１を外部と連通させる第１の孔部１１１ｇがある。これにより、通路形成部１１１に設けた第１の孔部１１１ｇにより第１の空間Ｃ１と外部とを連通させることができる。
【００５３】
また、上述した実施例によれば、仕切り部材１１は、通路形成部１１１の凹状の面（傾斜面）からハウジング１０に向かって突出する壁部１１２（例えば、仕切り板１１２）を有し、凹状の面（傾斜面）と壁部１１２とハウジング１０との間に第２の空間Ｃ２が形成され、壁部１１２には、第２の空間Ｃ２を第１の空間Ｃ１に連通させる第１の孔部１１１ｇがある。これにより、壁部１１２に設けた第１の孔部１１１ｇにより第１の空間Ｃ１と第２の空間Ｃ２とを連通させることができる。以下、壁部１１２を仕切り板１１２として呼称する。
【００５４】
また、上述した実施例によれば、ハウジング１０の筒状部１６の外周面には、複数の突起が形成された環状の突起部１７が設けられている。この環状の突起部１７により、筒状部１６の外周面における摩擦力を、ハウジング１０の他の外面における摩擦力よりも大きくできる。これにより、ユーザが放音部３を掴んだときに放音部３がユーザの手に対して滑りにくくなる。また、放音部３がユーザの肩にあてがわれたときには、ユーザの衣服と摩擦力を積極的に生じさせて、放音部３がユーザの肩に対して滑りにくくなる。よって、ユーザの片耳と肩との間やユーザの手からの放音部の脱落防止を図ることができる。
【００５５】
また、上述した実施例によれば、突起部１７は、ハウジング１０の筒状部１６に嵌合して設けられ、突起部１７及び筒状部１６には、互いに嵌合し合うフード部１６ｃ、１６ｄ、切欠１７ａが設けられている。これにより、突起部１７が筒状部１６に対して回転することがなく、より一層確実に、片耳と肩との間や手からの放音部３の脱落防止を図ることができる。しかも、電線やスライダ５を通すために突起部１７に設けた切欠１７ａに筒状部１６に設けたフード部１６ｃ、１６ｄを嵌合しているため、これらとは別に嵌合部を設ける必要がなく、構成が簡単となる。
【００５６】
また、上述した実施例によれば、ハウジング１０は、スピーカユニットの音放射方向Ｙ１と逆側に配置される蓋部１５を備え、蓋部１５の外面は、平坦な面で形成されていてもよい。これにより、片耳と肩との間に放音部３を挟んだとき、蓋部１５の平坦な面が肩に接触するため、肩との接触面を拡大でき、片耳と耳との間で簡単に放音部３を支持できる。
【００５７】
また、上述した実施例によれば、放音部３は、ヘッドバンド２に対して変位自在であってもよい。これにより、放音部３の突起部１７を手で掴んで簡単に変位させられる。
【００５８】
また、上述した実施例によれば、ヘッドバンド２は、ヘッドバンド本体４と該ヘッドバンド本体４及び放音部３を連結するスライダ５と、を有し、スライダ５は、ヘッドバンド本体４の端部を回転軸として回転でき、放音部３をヘッドバンド本体４に対して変位できてもよい。これにより、放音部３の突起部１７を手で掴んで簡単にヘッドバンド本体４に対して放音部３を回転できると共に、放音部３をスライドできる。
【００５９】
なお、上述した実施例によれば、複数の突起は突起部１７の全周に設けていたがこれに限ったものではない。複数の突起は突起部１７の外周の一部にのみ、又は突起の一群が複数、所定の間隔を隔てて形成されていてもよい。
【００６０】
また、上述した実施例によれば、ヘッドバンド２の両端部にスライダ５を設け、スライダ５を通路形成部１１１に挿入して、通路形成部１１１に対してスライドさせていたが、これに限ったものではない。ヘッドバンド２としては、ヘッドバンド本体４に対してスライダ５をスライドさせるものもあり、この場合、スライダ５は、通路形成部１１１内には挿入されずに、ヘッドバンド２の両端部が通路形成部１１１に挿入され、保持される。
【００６１】
また、上述した実施例によれば、仕切り部材１１に通路形成部１１１を一体に形成し、通路形成部１１１の上部１１１ａから仕切り板１１２を突設していたが、これに限ったものではない。ハウジング本体１４の上部１４１から仕切り板１１２を突設し、通路形成部１１１の上部１１１ａに当接するようにしてもよい。
【００６２】
また、上述した実施例によれば、壁部１１２は、ハウジング本体１４の上部１４１側から見て、矩形状、環状などの閉じた形状に形成しても構わない。また、上述した実施例によれば、第１の空間Ｃ１に対向する壁部１１２の面が連続面となっているが、必要に応じて、第２の孔部１１２ａとは別の孔を形成しても構わない。
【００６３】
また、上述した実施例によれば、通路形成部１１１の上部１１１ａ及び底部１１１ｂに傾斜面を設けていたが、これに限ったものではない。上部１１１ａ及び底部１１１ｂに傾斜面を設けずに、互いに平行に設けられていてもよい。
【００６４】
また、上述した実施例によれば、ハウジング１０の筒状部１６と突起部１７とを別体に設けていたが、これに限ったものではない。ハウジング１０の筒状部１６の外周面に複数の突起を形成して、突起部１７を一体に形成するようにしてもよい。
【００６５】
また、上述した実施例によれば、スライダ５は、ヘッドバンド本体４に対してヘッドバンド本体４の厚さ方向に沿った軸を回転軸として回転自在に保持されていたが、これに限ったものではない。スライダ５は、ヘッドバンド本体４に回転できるように保持されていればよく、例えば、ヘッドバンド本体４の長手方向に沿った軸を回転軸として回転自在に保持されていてもよいし、ヘッドバンド本体４の幅方向に沿った軸を回転軸として回転自在に保持されていてもよい。
【００６６】
また、上述した実施例によれば、仕切り部材１１と筒状部１６とを一体に設けていたが、これに限ったものではない。仕切り部材１１と筒状部１６とを別体に設けてもよい。
【００６７】
また、上述した実施例によれば、最もヘッドバンド本体４から離れた側の溝５１（以下最端溝５１と言う。）を深くしてスライダ５が通路形成部１１１から抜けないようにしていたが、これに限ったものではない。全ての溝５１を同じ深さに形成してもよく、この場合、最端溝５１よりもヘッドバンド本体４から離れた側を、最端溝５１以外の溝５１と溝５１との間に形成された山部よりも突起させて、片２０ｂの湾曲面２０ｃとの接触面積を大きくして、抜けにくくするようにしてもよい。
【００６８】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００６９】
１  ヘッドホン
２  ヘッドバンド
３  放音部
１０  ハウジング
１１  仕切り部材
１１１  通路形成部
１１１ｇ  第１の孔部
１１２  仕切り板
１１２ａ  第２の孔部
１４２ｃ  開口
Ｃ１  第１の空間
Ｃ２  第２の空間
【図１】
0006444667.tif 000002
【図２】
0006444667.tif 000003
【図３】
0006444667.tif 000004
【図４】
0006444667.tif 000005
【図５】
0006444667.tif 000006
【図６】
0006444667.tif 000007
【図７】
0006444667.tif 000008
【図８】
0006444667.tif 000009
【図９】
0006444667.tif 000010